(57)【要約】【課題】水槽からの溢水を水槽の下方に存在する電装品にかかるようなことなく排出処理できる洗濯機を提供する。【解決手段】外箱２に水槽４を有する洗濯機において、水槽４の溢水設定位置で該水槽４の内部から外箱２の外部に通じて溢水する溢水口Ｍを設けた。これにより、水槽４の内部からは溢水口Ｍを通じて外箱２の外部へ溢水がなされるので、水槽４から溢出した水が基台１の内部で跳ねるということがなくなり、基台１内の脱水用モータ１９や洗濯用モータ１５といった電装品にかかることもなくなって、それらの電気絶縁性を脅かすおそれをなくすことができる。【選択図】図１
2015002836.tif 000002
【特許請求の範囲】
【請求項１】
外箱に水槽を有する洗濯機において、
前記水槽の溢水設定位置で該水槽の内部から前記外箱の外部に通じて溢水する溢水口を設けたことを特徴とする洗濯機。
【請求項２】
前記水槽の溢水設定位置で該水槽の内部から前記外箱の外部に通じる孔を形成し、
この孔に、前記水槽の内部と前記外箱の外部とを連通させる溢水キャップを装着することにより、前記溢水口を構成したことを特徴とする請求項１記載の洗濯機。
【請求項３】
前記外箱の側壁と前記水槽の周壁とが一枚壁で兼ねており、その一枚壁部分に前記溢水口を設けたことを特徴とする請求項１又は２記載の洗濯機。
【請求項４】
前記溢水口が、出口を下方に指向する形態で有することを特徴とする請求項１から３のいずれか一項記載の洗濯機。
【請求項５】
前記外箱が、外面部に、前記溢水口を通じて出た水を下方へガイドして通す通水溝を有することを特徴とする請求項１から４のいずれか一項記載の洗濯機。
【請求項６】
前記溢水キャップが前記孔に嵌め込み方式で装着され、この溢水キャップを、前記外箱に被着するトップカバーで抜け止め固定するようにしたことを特徴とする請求項２から５のいずれか一項記載の洗濯機。
【請求項７】
前記溢水口の異物の通過を阻止する異物止め手段を有することを特徴とする請求項１から６のいずれか一項記載の洗濯機。
【請求項８】
前記溢水キャップが、上下に開通する部分を有することを特徴とする請求項２から７のいずれか一項記載の洗濯機。
【請求項９】
前記溢水口が、前記水槽上部の溢水する可能性のある部位のうちで最も低い位置に存在することを特徴とする請求項１から８のいずれか一項記載の洗濯機。
【請求項１０】
前記溢水口の通水断面積を、水槽内に給水するための給水口の通水断面積より大きくしたことを特徴とする請求項１から９のいずれか一項記載の洗濯機。
【請求項１１】
前記水槽の内部に洗濯物の遠心脱水をする脱水かごを有し、前記溢水キャップが、前記脱水かごの回転方向に相対する面に、該溢水キャップを装着した前記孔の周縁部からの水の滲出を防止する防水リブを有することを特徴とする請求項２から１０のいずれか一項記載の洗濯機。
【発明の詳細な説明】
【技術分野】
【０００１】
本発明の実施形態は洗濯機に関する。
【背景技術】
【０００２】
従来より、洗濯機、中でも洗濯用の水槽と脱水用の水槽とを外箱の内部に並設した二槽式洗濯機においては、それらの水槽からの排水をする排水ホースが詰まって排水できない状況となったとき、水槽への給水を続けると、水槽内で水位が上昇する。
これに対して、脱水用の水槽の最上部に溢水用の水抜き孔を形成し、この水抜き孔から水槽外に溢水させて水槽の下方に落とし、前記外箱下の基台内部を通して基台外部（機外）に排出するようにしたものが供されている（例えば特許文献１参照）。
【先行技術文献】
【特許文献】
【０００３】
【特許文献１】特開平４−２４１００号公報
【発明の概要】
【発明が解決しようとする課題】
【０００４】
しかしながら、上記基台の内部には脱水用のモータや洗濯用のモータを初めとした電装品が配設されているもので、それに対し、前記水槽の下方に落下した水が基台内部で跳ね、上記電装品にかかって、それらの電気絶縁性を脅かすおそれを有していた、
そこで、水槽からの溢水を水槽の下方に存在する電装品にかかるようなことなく排出処理できる洗濯機を提供する。
【課題を解決するための手段】
【０００５】
本実施形態の洗濯機は、外箱に水槽を有する洗濯機において、前記水槽の溢水設定位置で該水槽の内部から前記外箱の外部に通じて溢水する溢水口を設けたことを特徴とする。
【図面の簡単な説明】
【０００６】
【図１】一実施形態を示す洗濯機全体の、一部を破断した背面図
【図２】洗濯機全体の縦断正面図
【図３】外箱の孔を形成した部分の背面図
【図４】溢水キャップ単体の斜視図
【図５】溢水キャップ単体の下側からの斜視図
【図６】主要部分の縦断側面図
【図７】主要部分の破断斜視図
【図８】主要部分の外観斜視図
【図９】主要部分の横断平面図
【図１０】主要部分の斜視図
【図１１】給水口部分の斜視図
【図１２】主要部分の横断平面図
【発明を実施するための形態】
【０００７】
以下、一実施形態につき、図面を参照して説明する。
まず、図２には、洗濯機、特には二槽式洗濯機の全体構成を示しており、基台１上に外箱２を載置して結合している。外箱２は、プラスチック製で、左側に洗濯用の水槽３を、右側に脱水用の水槽４を、ともに一体に有している。中でも、それらの水槽３，４は、外側の周壁（洗濯用の水槽３は図示の左側と図示しない前側及び後側の周壁、脱水用の水槽４は図示の右側と図示しない前側及び後側の周壁）が、外箱２の側壁（図示の左右両側と図示しない前側及び後側の側壁）とそれぞれ１枚壁で兼ねている。又、洗濯用の水槽３の右側の周壁と脱水用の水槽４の左側の周壁は共通となっていて、両槽３，４間の仕切壁となっている。
【０００８】
洗濯用の水槽３には、奥側の一箇所に溢水ストレーナ５を装着しており、内下部に撹拌体６を回転可能に配設している。撹拌体６の下方に位置して洗濯用の水槽３の底部には排水口７を形成しており、この排水口７には、前記基台１内に配設した排水路８及び排水弁９を順に介して、図１に示す排水ホース１０を連ねている。排水ホース１０は、先端部が機外に臨んでおり、中間部に、溢水ホース１１を介して前記溢水ストレーナ５が覆った図示しない溢水口を接続している。この構成により、洗濯用の水槽３内で水位上昇した水は、溢水ストレーナ５から図示しない溢水口、溢水ホース１１、及び排水ホース１０を順に経て機外に排出されるようになっている。
【０００９】
前記基台１内に位置して洗濯用の水槽３の外下面部には、軸受機構１２を設けており、この軸受機構１２で支承した軸１３の上端部を、洗濯用の水槽３の底部を水密且つ回転可能に貫通させて該水槽３の内下部に突出させ、その突出部分に前記撹拌体６を取付けている。
一方、軸１３の下端部には、洗濯用の水槽３の外下方に位置させて従動プーリ１４を取付けており、他方、洗濯用の水槽３外下方の、従動プーリ１４からやゝ離間した位置には洗濯用モータ１５を配置して基台１に取付け、この洗濯用モータ１５の回転軸１５ａに取付けた駆動プーリ１６と従動プーリ１４との間に伝動ベルト１７を張架している。
【００１０】
この結果、撹拌体６は、洗濯用モータ１５により、駆動プーリ１６、伝動ベルト１７、及び従動プーリ１４のベルト伝動機構、並びに軸受機構１２を順に介して回転駆動、特には時計回りと反時計回りの正逆両方向に交互に低速回転駆動され、その回転により、洗濯用の水槽３に収容した図示しない洗濯物を図示しない洗濯水と共に撹拌して洗濯水流を生成し、洗濯をするようになっている。
【００１１】
脱水用の水槽４の内部には、脱水かご１８を回転可能に配設している。脱水かご１８は、周側部に環状の補強リブ１８ａと脱水孔１８ｂをともに多数、多段に有するものであり、この脱水かご１８を回転駆動する脱水用モータ１９と、その回転を制止するブレーキ装置２０とを脱水用の水槽４外下方の基台１内に配設している。
この結果、脱水かご１８は、脱水用モータ１９により直に回転駆動、中でも一方向に高速回転駆動され、その回転により、脱水かご１８内に収容した図示しない洗濯物の遠心脱水をするようになっている。なお、脱水用の水槽４にも、底部には排水口２１を形成しており、この排水口２１を図示しない接続管で前記排水ホース１０に連ねている。
【００１２】
このほか、外箱２上（洗濯用の水槽３及び脱水用の水槽４上）には、その全周にわたる矩形枠状のトップカバー２２を被着しており、このトップカバー２２上の後部に操作パネル２３を設け、この操作パネル２３に、洗濯用タイマーの操作つまみ２４と、洗濯用の水流強度切換え及び排水選択用の操作つまみ２５、脱水用タイマーの操作つまみ２６、給水口２７、及び両槽３，４に対する給水切換え用操作つまみ２８を設けている。更に、洗濯用の水槽３上には蓋２９を着脱可能に設け、脱水用の水槽４上には蓋３０を開閉可能に軸支して設けている。
【００１３】
以上に対して、図３には、前記脱水用の水槽４の内部から外箱２の外部に通じるように形成した孔３１を示しており、詳細には、脱水用の水槽４の後側の周壁と前記外箱１の後側の側壁とを兼ねる一枚壁部分に形成していて、この場合、矩形であり、脱水用の水槽４の溢水設定位置に存在している。そして、この孔３１には図１に示す溢水キャップ３２を装着している。
【００１４】
上記溢水キャップ３２は、詳細には図４及び図５に示すように、基体部３２ａに出口部３２ｂを一体に形成したもので、そのうちの基体部３２ａは、下端部と上端部とが開放して内部がストレートに上下に開通するほゞ矩形筒状を成し、これに、後部のやゝ下寄りの部分で出口部３２ｂが連なっている。この出口部３２ｂは、基体部３２ａとの連接部分に連通口３３を有しており、基体部３２ａより突出した部分の下部に出口３４を下方に指向する形態で有している。又、この出口部３２ｂの上壁部から後壁部にかけての中間部には、曲成部３５を有している。
【００１５】
更に、この溢水キャップ３２の流水路である基体部３２ａ内の下部（出口３４とほゞ同高さ位置）には、異物止め手段として、この場合、格子状にて基体部３２ａ内を上下に隔てる通水可能な隔壁３６を一体に形成して設けている。又、基体部３２ａの内側面部には、複数条の補強リブ３７を形成している。
このほか、出口部３２ｂの出口３４前縁部と基体部３２ａとの間には溝部３８を形成しており、基体部３２ａの出口部３２ｂより上方の部分の後壁部には切欠部３９を形成し、基体部３２ａの左右の両側面部の後部には上下に延びるリブ状の突起４０を形成している。
【００１６】
加えて、基体部３２ａの左右の両側面部の上部には補強リブ４１を形成しており、基体部３２ａの左側面部の上記突起４０よりやゝ前方の位置には、防水リブ４２を形成している。この防水リブ４２は、基体部３２ａの左側面部を上下に延びており、先端縁側に前方への返し部４２ａを有する横断面へ字状を成している。
更に、防水リブ４２に連ねて基体部３２ａの左側面部の上部には、凸部４３を形成している。この凸部４３は平面形がほゞ三角形で、先端の角部に更に三角形の突起４４を有しており、凸部４３の上面から前面側にかけてはリブ４５を形成している。又、凸部４３の上面部と基体部３２ａの左側面部との間にも、溝部４６を形成している。
【００１７】
以上の構成で、溢水キャップ３２を前記孔３１に装着するには、まず、溢水キャップ３２を脱水用の水槽４の内部から外部後方に向けて孔３１に、突起４０が孔３１の左右の両側縁部に衝止され、且つ切欠部３９の存した後壁部が外箱２の孔３１上の部分に衝止されるまで嵌め込んで挿通し、次いで、溢水キャップ３２を下げ、溝部３８を図６、図７、及び図８に示すように孔３１の下縁部に嵌めて係合させる。
【００１８】
このとき、図９及び図１０に示すように、凸部４３及び突起４４を、前記脱水用の水槽４の上部に形成した隔壁リブ４７に当接させて合わせ、且つ、それとは反対側の溢水キャップ３２の側面部を、同じく脱水用の水槽４の上部に形成した隔壁リブ４８に当接させて合わせることにより、孔３１に装着した溢水キャップ３２の左右の振れ止めをするようにする。
【００１９】
このようにして前記孔３１に溢水キャップ３２を装着しており、それによって、前記脱水用の水槽４の溢水設定位置で該水槽４の内部から前記外箱２の外部に通じる溢水口Ｍを構成して設けている。
【００２０】
ここで、脱水用の水槽４の上記隔壁リブ４７，４８のそれぞれ外側には、水槽４材料削減（いわゆる肉盗み）用の孔４９，５０を形成しており、脱水用の水槽４内の水は溢水口Ｍから溢出するほかに隔壁リブ４７，４８を越えて孔４９，５０を通じ溢出する可能性もあるもので、孔３１は隔壁リブ４７，４８の各高さよりも低い位置に形成している。すなわち、孔３１は脱水用の水槽４上部の溢水する可能性のある部位のうちで最も低い位置に存在しており、その孔３１と溢水キャップ３２とで構成した溢水口Ｍも又同様である。
【００２１】
なお、隔壁リブ４８は前記操作パネル２３内の洗濯用タイマーの操作つまみ２４や、洗濯用の水流強度切換え及び排水選択用の操作つまみ２５、脱水用タイマーの操作つまみ２６、給水口２７、及び給水切換え用操作つまみ２８が位置する空間を形成している。
【００２２】
又、図１１には、給水口２７を示しており、この給水口２７は、図示しない水道の蛇口から給水ホースを接続して、給水切換え用操作つまみ２８の切換えに応じ、洗濯用の水槽３内又は脱水用の水槽４内に給水するためのもので、これの通水断面積より溢水キャップ３２の通水断面積、ひいては溢水口Ｍの通水断面積を大きくしている。具体的には、溢水口Ｍが、給水口２７を通じて供給される例えば毎秒２０リットルの流量のある水圧の水道水を溢水キャップ３２を通じて出し得る充分な断面積を有しているのである。
【００２３】
この後、外箱２上（洗濯用の水槽３及び脱水用の水槽４上）に、前記トップカバー２２を被着する。トップカバー２２には、図６及び図７に示すように、孔３１に装着した溢水キャップ３２の前壁部に前側で重なる部分５１を有しており、更に、図示はしないが、同溢水キャップ３２の前記溝部４６に差し込む部分を有していて、それらにより前記孔３１に前記嵌め込み方式で装着した溢水キャップ３２を、外箱２に被着するトップカバー２２で抜け止め固定するようにしている。又、トップカバー２２自体は、後部の左右２箇所に形成した取付部２２ａを、外箱１の対応個所に形成した取付けボス５２に図示しないねじによって取付け固定している。
【００２４】
更に、図１２には、孔３１に装着した溢水キャップ３２の防水リブ４２の部分を示しており、この防水リブ４２は、この図１２で明らかなように、前記脱水かご１８の回転方向（矢印Ｒ）に相対する面に存している。
【００２５】
そして、図１には、前記外箱２の背面部に形成した通水溝５３を示しており、この通水溝５３は溢水口Ｍ（詳細には、孔３１であって、且つ溢水口Ｍの出口でもある溢水キャップ３２の出口３４）から下方へ直線状に延びており、前記基台１の背面部に同じく下方へ直線状に延ばして形成した通水溝５４に連通していて、ともに、基台１内の前記洗濯用モータ１５や脱水用モータ１９など内部構造を点検するための点検口５５を避けている。なお、点検口５５には裏蓋５６を取外し可能に装着している。
【００２６】
次に、本実施形態のものの作用、効果を述べる。
既述の、排水ホース１０の詰まり等で、脱水用の水槽４内で水位が上昇し、孔３１の存する溢水設定位置を超えるようになると、図６に矢印Ｗ１で示すように、溢水キャップ３２の基体部３２ａの下端部の開放口から基体部３２ａ内に入った水が隔壁３６を通過して連通口３３から出口部３２ｂに至り、そして、出口３４から外箱２の外部に排出される。このようにして水槽４の内部から外箱２の外部への溢水が溢水口Ｍを通じてなされることにより、水槽４から溢出した水が基台１の内部で跳ねるということがなくなり、基台１内の脱水用モータ１９や洗濯用モータ１５といった電装品にかかることもなくなって、それらの電気絶縁性を脅かすおそれをなくすことができる。
【００２７】
又、本実施形態のものにおいては、溢水口Ｍを、上述の孔３１とこれに装着した溢水キャップ３２とで構成しており、それによって、溢水口Ｍを例えば見栄え良く設けることができる。
又、本実施形態のものにおいては、外箱２の側壁と脱水用の水槽４の周壁とが一枚壁で兼ねており、その一枚壁部分に溢水口Ｍを設けている。これにより、外箱２の側壁と脱水用の水槽４の周壁とが別々に存在するものより、溢水口Ｍの形成が一枚壁を貫通するだけの形態で容易にできる。
【００２８】
又、本実施形態のものにおいては、溢水口Ｍが、出口３４を下方に指向する形態で有している。これにより、溢水口Ｍを通じて出る水を下方へ確実に流し、外箱２の背面部で散らすことがないので、基台１内の上記電装品にかかることの一層ないようにできる。
又、本実施形態のものにおいては、外箱２が、外面部に、溢水口Ｍから下方へ延びる通水溝５３を有している。これにより、溢水口Ｍを通じて出た水を図１に矢印Ｗ２で示すように通水溝５３を通して下方へ確実にガイドして流し、外箱２の背面部で散らすことがないので、基台１内の電装品にかかることの更に一層ないようにすることができる。
【００２９】
又、本実施形態のものにおいては、溢水キャップ３２が孔３１に嵌め込み方式で装着され、この溢水キャップ３２を、外箱２に被着するトップカバー２２で抜け止め固定するようにしている。これにより、孔３１に対する溢水キャップ３２の装着から固定がより簡単且つ確実にでき、又、溢水キャップ３２の外れがないので、溢水キャップ３２を通じて出た水が基台１内の上記電装品にかかることの一層ないようにできる。
【００３０】
又、本実施形態のものにおいては、溢水キャップ３２が、水槽４の内部から外箱２の外部に通じる流水路である内部に、異物止め手段として、格子状の隔壁３６を有しており、ひいては溢水口Ｍがその異物止め手段を有している。これにより、溢水口Ｍにおける異物の通過を阻止でき、外箱２の外部からのごみなど異物の侵入を防ぐことができる。この場合、異物止め手段は外箱２の外部からの手指の侵入を防止するのにも効果がある。
【００３１】
又、本実施形態のものにおいては、溢水キャップ３２が、上下に開通する部分として、基体部３２ａを有している。これにより、溢水キャップ３２が水圧により浮く力が加わることを防止できると共に、溢水キャップ３２を通じて水を流れやすくでき、水槽４の内部から外箱２の外部への溢水をより円滑にできるようになる。なお、溢水キャップ３２の上下に開通する部分は、ストレートに開通するものに限られず、途中部や端部等に多少狭い部分を有していても良い。
【００３２】
又、本実施形態のものにおいては、溢水口Ｍが、水槽４上部の溢水する可能性のある部位のうちで最も低い位置に存在するようにしている。これにより、溢水口Ｍ以外の、溢水口Ｍより高い位置にある隔壁リブ４７，４８等を越えて水槽４の水が機外に溢れ出ることを防止でき、水槽４内から機外への溢水を溢水口Ｍを通じて確実に行わしめることができる。
【００３３】
又、本実施形態のものにおいては、溢水口Ｍの通水断面積を、洗濯用の水槽３内又は脱水用の水槽４内に給水するための給水口２７の通水断面積より大きくしている。これにより、給水口２７を通じて供給される水を溢水口Ｍで余すことになく出すことができ、水槽４内から溢水口Ｍを越えて他の部位から溢水することのないようにできる。
【００３４】
そして、本実施形態のものにおいては、水槽４の内部に洗濯物の遠心脱水をする脱水かご１８が存し、溢水キャップ３２が、図１２に矢印Ｒで示した脱水かご１８の回転方向に相対する面に防水リブ４２を有している。この場合、回転する脱水かご１８から出される水は脱水かご１８の回転方向に沿って出されるもので、出された水は溢水キャップ３２を装着した孔３１の周縁部に向かう。それに対して、溢水キャップ３２の防水リブ４２は、脱水かご１８の回転方向に相対する面に存在することで、孔３１の周縁部に向かった水を止め、孔３１の周縁部からの水の滲出を防止する。
【００３５】
特に防水リブ４２には先端縁側に前方への返し部４２ａを有しており、この返し部４２ａで、孔３１の周縁部に向かった水を有効に止め得るだけでなく、孔３１の周縁部から遠ざかる方向に返すことすらできるので、孔３１の周縁部からの水の滲出を一段と確実に防止することができる。
【００３６】
以上説明した洗濯機は、上記実施形態にのみ限定されるものではなく、例えば溢水口Ｍは脱水用の水槽４にではなく洗濯用の水槽３に設けるようにしても良いし、洗濯機全体としても、脱水用の水槽４を具えず、洗濯用の水槽３のみを具えるものであっても良いなど、要旨を逸脱しない範囲内で適宜変更して実施し得る。
【００３７】
又、溢水口Ｍは、孔３１のように水槽の内部から外箱の外部に通じる孔のみによって形成するものであっても良く、従って、溢水キャップ３２は必ずしも必要とはしない。更に、そのような場合、異物止め手段は、溢水口Ｍに対して隔壁３６相当のものをトップカバー２２から垂下させて設けるようにすれば良く、あるいは隔壁３６相当のものを別体で溢水口Ｍに装着するようにしても良い。
【００３８】
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００３９】
図面中、２は外箱、３は洗濯用の水槽、４は脱水用の水槽、１８は脱水かご、２２はトップカバー、２７は給水口、３１は孔、３２は溢水キャップ、３２ａは基体部（上下に開通する部分）、３４は出口、３６は隔壁（異物止め手段）、４２は防水リブ、５３は通水溝、Ｍは溢水口を示す。
【図１】
2015002836.tif 000003
【図２】
2015002836.tif 000004
【図３】
2015002836.tif 000005
【図４】
2015002836.tif 000006
【図５】
2015002836.tif 000007
【図６】
2015002836.tif 000008
【図７】
2015002836.tif 000009
【図８】
2015002836.tif 000010
【図９】
2015002836.tif 000011
【図１０】
2015002836.tif 000012
【図１１】
2015002836.tif 000013
【図１２】
2015002836.tif 000014